(57)【要約】【課題】    乾式工法によってタイルを簡単且つ確実に固定することができ、仕上りの美しいタイル壁を形成することのできるタイル壁構造を提供する。【解決手段】    方形状のタイルＴと、タイルＴが一列に連設して配置されるタイル配置部１１と、タイルＴの表面側と係合してタイルＴの外れを防止するタイル押え縁部１２がタイル配置部１１の両側に形成されたタイル配置ベースと、隣接するタイルＴの間に配設され、タイルＴの裏面側に当接してタイルＴをタイル配置ベースのタイル押え縁部１２に向けて押圧する弾性変形可能な押圧部２２と、隣接するタイルＴの間に定設される目地部２１とが形成された目地材２によって構成する。【選択図】        図７
2005083144.tif 000002
【特許請求の範囲】
【請求項１】
方形状のタイルと、タイルが一列に連設して配置されるタイル配置部と、タイルの表面側と係合してタイルの外れを防止するタイル押え縁部がタイル配置部の両側に形成されたタイル配置ベースと、隣接するタイルの間に配設され、タイルの裏面側に当接してタイルをタイル配置ベースのタイル押え縁部に向けて押圧する弾性変形可能な押圧部と、隣接するタイルの間に定設される目地部とが形成された目地材によって構成したことを特徴とするタイル壁構造。
【請求項２】
係合部と被係合部によって連結される複数のタイル配置ベース部材を連設して、タイル配置ベースを形成したことを特徴とする請求項１に記載のタイル壁構造。
【請求項３】
目地材の押圧部を断面へ字状を呈する板バネとしたことを特徴とする請求項１または２に記載のタイル壁構造。
【発明の詳細な説明】
【技術分野】
【０００１】
この発明は、乾式工法によりタイル壁を形成するための技術に関し、タイルを簡単に固定できると共に、美しい仕上りのタイル壁とすることのできるタイル壁構造に関するものである。
【背景技術】
【０００２】
従来、タイル壁を施工するに当たっては、モルタル若しくは接着剤を用いて、タイルを配列貼着することが広く行われている。しかしながら、このような施工方法においては、タイルを固定するのに、モルタルまたは接着剤を使用するため、これらが硬化するのに長時間を要するものであり、しかも雨天時での屋外施工の場合には、施工作業がなかなか捗らないものであった。
【０００３】
特許文献１には、モルタル若しくは接着剤等を使用せず、タイルを金具と係合して固定する乾式工法が示されている。乾式工法であれば、天候に左右されることなく迅速な施工作業が可能となる。しかしながら、特許文献１に示されるタイル片は、側面に金具と係合する係合溝を形成した特殊なタイル片を用意しなければならず、汎用されているタイルを使用することができないので、コスト高を招くという難点があった。
【０００４】
また、特許文献２に示されるタイル壁は、タイルの大きさに区画形成されたタイル収納部を形成し、タイル収納部の周囲を形成する目地体を弾性変形させてタイルを嵌め込んで固定することにより形成されている。特許文献２において使用されるタイルは、金具との係合溝は不要なので、汎用されているタイルを使用することができるが、目地体を弾性変形させてタイルを嵌め込んで固定するため、タイルに加わる力の向きによっては、収納部からタイルが外れ落ちる可能性を有するものである。
また、粘土等を焼成してなるタイルは、厚み方向における寸法公差が大きく、厚み寸法が変化するとタイル収納部のタイル保持力にバラツキが生じ、タイル保持力が弱いとタイルの脱落をさらに助長するものであった。また、タイルの大きさに合わせて収容部の大きさを変えなければならず、タイルの大きさの種類に合わせた複数の目地枠体を用意しておく必要があった。
【０００５】
【特許文献１】特許第３３９０８７７号公報
【特許文献２】特開平８−２６０６６７号公報
【発明の開示】
【発明が解決しようとする課題】
【０００６】
本発明の目的は、乾式工法によってタイルを簡単且つ確実に固定することができ、仕上りの美しいタイル壁を形成することのできるタイル壁構造を提供することにある。
【課題を解決するための手段】
【０００７】
本発明者等は、このような事情に鑑み鋭意検討を重ねた結果、方形状のタイルと、タイルが一列に連設して配置されるタイル配置部と、タイルの表面側と係合してタイルの外れを防止するタイル押え縁部がタイル配置部の両側に形成されたタイル配置ベースと、隣接するタイルの間に配設され、タイルの裏面側に当接してタイルをタイル配置ベースのタイル押え縁部に向けて押圧する弾性変形可能な押圧部と、隣接するタイルの間に定設される目地部とが形成された目地材によってタイル壁を構成して所期の課題を解決したものである。
【０００８】
また、係合部と被係合部によって連結される複数のタイル配置ベース部材を連設して、タイル配置ベースを形成したことにより、タイル壁の施工面積をタイル配置ベース部材の単位で調整可能としたものである。
【０００９】
さらに、目地材の押圧部を断面へ字状を呈する板バネとしたことにより、強力な押圧力によってガタツキなく強固にタイルを挟着することができる。
【発明の効果】
【００１０】
本発明タイル壁構造によれば、タイル配置ベースのタイル押え縁部と、目地材の押圧部によってタイルを挟着しているので、タイルをガタツキなく強固に固定できると共に、目地材の押圧部は弾性変形可能なのでタイルの厚みにバラツキが生じても、確実にタイルを固定することができる。
【発明を実施するための最良の形態】
【００１１】
以下、発明を実施するための最良の形態を実施例に基づき説明する。
図１に示したとおり、本実施例におけるタイル壁構造は、屋根体Ｙを支柱Ｓによって支持した簡易構築物（車庫）に適用した例について説明する。これは、支柱ＳにタイルＴによる装飾を施したものであるが、建物の外壁あるいは内壁等種々の壁面に適用可能である。タイルＴも市販されている種々の材質のものが使用可能であるが、本実施例においては、せっ器タイルが使用され、その大きさは縦横が１４５±２．５ｍｍ×１４５±２．５ｍｍ、厚みが９±１．５ｍｍである。
【００１２】
図中１はタイルＴが配置されるタイル配置ベースであり、２列のタイル配置部１１，１１とタイル配置部１１の両側縁に形成されたタイル押え縁部１２とから形成されている。なお、本実施例においてタイル配置ベース１は、二種類のタイル配置ベース部材１Ａ，１Ｂから形成されており、タイル配置ベース部材１Ａの一側に形成した溝形状を呈する係合部１３に、タイル配置ベース１Ｂの他側に形成した被係合部１４を係合することによって、タイル配置部１１が２列に並列したタイル配置ベース１が形成されている。タイル配置ベース１は、施工面積に合わせて１つあるいは２つ以上のタイル配置ベース部材１Ａ，１Ｂを連結して、タイル配置部１１の列数を調整することができる。本実施例のタイル配置ベース１は、アルミニウム製形材によって形成しているが、金属板を折り曲げて形成しても構わない。
図５はタイル壁の施工手順であり、タイルＴをタイル配置ベース１の端縁から挿入し、スライドして位置決めする。この時、タイル押え縁部１２は先端部が鉤状に内方に折曲しており、押え面１２１がタイルＴの表面と係合し、タイルＴがタイル配置部１１から外れるのを防いでいる。対向する押え面１２１の先端部間の間隔は、タイルＴの幅よりも小さくなっているため、タイルＴがタイル配置部１１から外れることはない。
【００１３】
同列のタイル配置部１１に配設されるタイルＴの間には、タイルＴの一辺の長さ程度に形成された目地材２が配置されている。目地材２は合成樹脂製の押出し形材によって形成されており、中央位置に断面四角形状の目地部２１が形成され、目地部２１の両側縁に断面へ字状を呈する弾性変形可能な板バネの押圧部２２が形成されている。押圧部２２の頂部２２１がタイルＴの裏面と当接可能であり、頂部２２１によってタイルＴが押え面１２１に向けて押圧される。押圧部２２をタイルＴの縁から挿入する際、押圧部２２は弾性変形可能な板バネなので、押圧部２２をタイルＴの裏面側に押込んで目地材２が装着される。図７に示すｔ１＞ｔ２のように、タイルＴの厚みにバラツキが生じても、押圧部２２は弾性変形可能な板バネなので、タイルＴを確実に押え面１２１と挟着することができる。また、目地材２の両端部は、タイル配置部１１に一体的に形成した位置決め突起１１１によって位置規制され、目地材２の端部が外部から目視されることはない。
【００１４】
タイルＴと目地材２を繰り返しタイル配置部１１に挿入した後、最後に挿入する目地材２は一側の押圧部２２を切除したものが用いられ、さらにタイルＴと目地材２の挿入口を塞ぐ抜け止め部材３がタイル配置ベース１に螺子４を用いて固定される。抜け止め部材３と支柱Ｓを螺子５を用いて固着することにより、タイル配置ベース１が抜け止め部材３を介して支柱Ｓに固定され、タイルＴによって装飾された支柱Ｓが完成する。
【００１５】
以上のとおり、タイル配置部１１に挿入されたタイルＴは、タイル配置ベース１のタイル押え縁部１２と目地材２の弾性変形可能な板バネの押圧部２２によって挟着されるので、タイルＴを強固に固定することができると共に、タイルＴの固定作業はタイル配置部にタイルＴと目地材２を交互に挿入することによって簡単に行うことができる。タイルＴの厚みに変化が生じても、弾性変形可能な押圧部２２がタイルＴの裏面に当接することによって、押圧部２２による押圧力がタイルＴの裏面に作用し、タイルＴをタイル押え縁部１２と押圧部２２によってガタツキなく挟着することができる。
【００１６】
なお、上記実施例において、目地材２は合成樹脂から成る形材によって形成したが、アルミニウム等の金属製形材を使用しても構わない。また、目地材２の押圧部２２の形状もタイルＴの裏面に当接し、タイルＴを押え面１２１に向けて押付ける力を発揮できる構成であれば種々の形状を採用することができる。タイル配置ベース１は、二つのタイル配置ベース部材１Ａ，１Ｂによって形成したが、複数のタイル配置部１１が一体的に形成されたタイル配置ベース１としても構わない。
【図面の簡単な説明】
【００１７】
【図１】本発明タイル壁構造を簡易構築物の支柱に適用した例を表わす全体図
【図２】本発明タイル壁構造におけるタイル配置ベースの端面図
【図３】本発明タイル壁構造におけるタイル配置ベース部材１Ａの端面図
【図４】本発明タイル壁構造におけるタイル配置ベース部材１Ｂの端面図
【図５】本発明タイル壁構造の施工手順を表わす説明図
【図６】本発明タイル壁構造における目地材の端面図
【図７】本発明タイル壁構造の要部拡大図
【図８】図１における支柱Ｓの要部拡大横断面図
【図９】図１における支柱Ｓの要部拡大縦断面図
【符号の説明】
【００１８】
１      タイル配置ベース
１Ａ      タイル配置ベース部材
１Ｂ      タイル配置ベース部材
２      目地材
１１      タイル配置部
１２      タイル押え縁部
１３      係合部
１４      被係合部
２１      目地部
２２      押圧部
Ｔ      タイル
【図１】
2005083144.tif 000003
【図２】
2005083144.tif 000004
【図３】
2005083144.tif 000005
【図４】
2005083144.tif 000006
【図５】
2005083144.tif 000007
【図６】
2005083144.tif 000008
【図７】
2005083144.tif 000009
【図８】
2005083144.tif 000010
【図９】
2005083144.tif 000011